(57)【要約】【課題】部品を交換し易い閃光灯システム及びその配線方法を提供する。【解決手段】電源１４と、ソケットを有する閃光灯１１と、所定のタイミングで電源１４の電力を閃光灯１１に供給して閃光灯１１を点灯させる点灯装置１２と、中継端子台１６と、一端が閃光灯１１のソケットの端子に半田付けされ、他端が中継端子台１６の端子に着脱可能に接続される電線２１ａと、一端が中継端子台１６の端子に着脱可能に接続され、他端が点灯装置１２と電気的に接続される電線２１ｂと、を備える。【選択図】図１
2010247576.tif 000002
【特許請求の範囲】
【請求項１】
電源と、
ソケットを有する閃光灯と、
所定のタイミングで前記電源の電力を前記閃光灯に供給して前記閃光灯を点灯させる点灯装置と、
中継端子台と、
一端が前記閃光灯のソケットの端子に半田付けされ、他端が前記中継端子台の端子に着脱可能に接続される第１電線と、
一端が前記中継端子台の端子に着脱可能に接続され、他端が前記点灯装置と電気的に接続される第２電線と、
を備える、
ことを特徴とする閃光灯システム。
【請求項２】
前記中継端子台の本体は、ＤＣ２０００以上の高電圧に耐え得る絶縁材料からなる、
ことを特徴とする請求項１に記載の閃光灯システム。
【請求項３】
前記中継端子台の本体は、ガイシからなる、
ことを特徴とする請求項１に記載の閃光灯システム。
【請求項４】
前記中継端子台は、汎用端子台である、
ことを特徴とする請求項１乃至３のいずれか一項に記載の閃光灯システム。
【請求項５】
前記電源は、交流電源であり、
前記点灯装置は、整流回路と、コンデンサと、を備え、前記電源の交流電力を前記整流回路により直流電力に変換して前記コンデンサに蓄えながら、所定のタイミングで前記コンデンサに蓄えられた電気エネルギーを放出し、
前記コンデンサから放出された電気エネルギーが、前記第１電線及び前記中継端子台及び前記第２電線を通って前記閃光灯に与えられることにより、前記閃光灯は点灯する、
ことを特徴とする請求項１乃至４のいずれか一項に記載の閃光灯システム。
【請求項６】
電源と、ソケットを有する閃光灯と、所定のタイミングで前記電源の電力を前記閃光灯に供給して前記閃光灯を点灯させる点灯装置と、を配線する方法であって、
前記電源及び前記閃光灯及び前記点灯装置を、
中継端子台と、
一端が前記閃光灯のソケットの端子に半田付けされ、他端が前記中継端子台の端子に着脱可能に接続される第１電線と、
一端が前記中継端子台の端子に着脱可能に接続され、他端が前記点灯装置と電気的に接続される第２電線と、
によって配線する、
ことを特徴とする閃光灯システムの配線方法。
【発明の詳細な説明】
【技術分野】
【０００１】
本発明は、閃光灯システム及びその配線方法に関する。
【背景技術】
【０００２】
例えば特許文献１〜３に、閃光灯システムが開示されている。
【先行技術文献】
【特許文献】
【０００３】
【特許文献１】特開２００４−１７２１００号公報
【特許文献２】特開２００６−１５６２８７号公報
【特許文献３】特開２００８−１１２６２８号公報
【発明の概要】
【発明が解決しようとする課題】
【０００４】
上記特許文献１〜３に記載される閃光灯システムでは、閃光灯のソケットと電力供給用の電線とが半田付けで固定されると考えられる。このため、閃光灯や電力供給用の電線を交換することは容易ではない。
【０００５】
本発明は、こうした実情に鑑みてなされたものであり、部品を交換し易い閃光灯システム及びその配線方法を提供することを目的とする。
【課題を解決するための手段】
【０００６】
本発明の第１の観点に係る閃光灯システムは、電源と、ソケットを有する閃光灯と、所定のタイミングで前記電源の電力を前記閃光灯に供給して前記閃光灯を点灯させる点灯装置と、中継端子台と、一端が前記閃光灯のソケットの端子に半田付けされ、他端が前記中継端子台の端子に着脱可能に接続される第１電線と、一端が前記中継端子台の端子に着脱可能に接続され、他端が前記点灯装置と電気的に接続される第２電線と、を備える。
【０００７】
本発明の第２の観点に係る閃光灯システムの配線方法は、電源と、ソケットを有する閃光灯と、所定のタイミングで前記電源の電力を前記閃光灯に供給して前記閃光灯を点灯させる点灯装置と、を配線する方法であって、前記電源及び前記閃光灯及び前記点灯装置を、中継端子台と、一端が前記閃光灯のソケットの端子に半田付けされ、他端が前記中継端子台の端子に着脱可能に接続される第１電線と、一端が前記中継端子台の端子に着脱可能に接続され、他端が前記点灯装置と電気的に接続される第２電線と、によって配線する。
【０００８】
なお、「所定の」は、「固定の」とは区別される。すなわち、最初に設定された値がそのまま維持されることのほか、予め設定された値が任意のタイミングで変更されることも、状況に応じて随時設定（可変設定）されることも、「所定の」に含まれる。状況に応じて随時処理タイミングを設定することで、リアルタイムでその都度処理を指示することができる。
【発明の効果】
【０００９】
本発明によれば、部品を交換し易い閃光灯システム及びその配線方法を提供することができる。
【図面の簡単な説明】
【００１０】
【図１】本発明の実施形態に係る閃光灯システムの概略構成を示す図である。
【図２】図１の閃光灯システムにおける閃光灯と電力供給用の電線との接続部を示す図である。
【図３】中継端子台を有さない閃光灯システム（比較例）における閃光灯と電力供給用の電線との接続部を示す図である。
【図４】図１の閃光灯システムに用いられる点灯装置の詳細構成を示す図である。
【図５】図１の閃光灯システムに用いられる管制器の詳細構成を示す図である。
【図６】図４の点灯装置に用いられる電源制御部の詳細構成を示す図である。
【発明を実施するための形態】
【００１１】
以下、本発明に係る閃光灯システム及びその配線方法の実施形態について、図面を参照して説明する。
【００１２】
本実施形態の閃光灯システムは、図１に示すように、複数の閃光灯１１と、複数の点灯装置１２と、管制器１３と、電源１４と、ブレーカ１５と、中継端子台１６と、を備える。この閃光灯システムは、例えばＥＦＡＳ（航空機着陸誘導閃光装置）として用いられる。この場合、閃光灯１１及び点灯装置１２は、例えば滑走路又は鉄塔などに配置され、管制器１３及び電源１４は、例えば飛行場内に設けられた電源局舎又は監視室に設置される。複数の閃光灯１１は、航空機を滑走路に誘導するために、例えば直線状に配置される。
【００１３】
閃光灯１１の各々は、点灯装置１２と電気的に接続される。点灯装置１２同士は直列に接続される。閃光灯１１と中継端子台１６とは電線２１ａで、中継端子台１６と点灯装置１２とは電線２１ｂで、点灯装置１２同士は電線２２で、互いに電気的に接続される。点灯装置１２同士は光ケーブル３２で、互いに通信可能に接続される。点灯装置１２の少なくとも１つ（例えば端に位置する１つ）は、電線２４ｂを介してブレーカ１５と電気的に接続される。また、これと同じ点灯装置１２（又は別の点灯装置１２）は、光ケーブル３３を介して管制器１３に接続される。ブレーカ１５は、電線２４ａを介して電源１４と電気的に接続される。電線２１ａ、２１ｂ、２２、２４ａ、２４ｂは、高電圧用の電線である。点灯装置１２の各々には、自身を特定するための特定情報（アドレスやＩＤなど）が予め与えられている。
【００１４】
閃光灯１１は、例えば放電管の一種のキセノンランプ（フラッシングランプ）である。閃光灯１１は、電圧が加わっているだけでは点灯せず、タイミング信号（トリガー信号）を受けた時に点灯する。
【００１５】
閃光灯１１には、電源１４の電力が、電線２４ａ、２４ｂ、点灯装置１２、電線２１ｂ、中継端子台１６、及び電線２１ａを通じて供給される。本実施形態では、電源１４から点灯装置１２へ異常な電流が流れないように、電源１４と点灯装置１２との間にブレーカ１５が挿入されている。また、点灯装置１２と閃光灯１１との間には、中継端子台１６が設けられている。中継端子台１６は、例えば市販される一般的な小型の汎用端子台である。こうした汎用端子台は、高電圧（例えばＤＣ２０００以上）専用に開発された大型の端子台に比べて、コスト面やスペース面で有利である。中継端子台１６は、例えば図２に示すように、本体１６ａと、端子１６ｂと、を備える。本体１６ａは、ＤＣ２０００以上の高電圧に耐え得る絶縁材料からなる。こうした絶縁材料としては、例えばガイシが有効である。端子１６ｂは、例えば金属製のねじからなる。
【００１６】
閃光灯１１と点灯装置１２とは、中継端子台１６で中継される電線２１ａ、２１ｂによって互いに電気的に接続される。電線２１ａの一端は、閃光灯１１のソケット１１ａの端子に半田付けされる。一方、電線２１ａの他端は、中継端子台１６の端子１６ｂに着脱可能に接続（ねじ留め）される。また、電線２１ｂの一端は、中継端子台１６の端子１６ｂに接続（ねじ留め）され、電線２１ｂの他端は、点灯装置１２と電気的に接続される。
【００１７】
こうした構造により、閃光灯１１や電線２１ａ（電力供給用の電線）を交換する場合には、電線２１ａを中継端子台１６から取り外すことで、閃光灯１１を容易に取り外すことができる。したがって、中継端子台１６を有さない閃光灯システム（図３）と比べて、本実施形態の閃光灯システムは、閃光灯１１や電線２１ａ（電力供給用の電線）の交換が容易である。しかも、中継端子台１６を点灯装置１２よりも閃光灯１１側に配置したことで、閃光灯１１だけを単独で交換することができる。
【００１８】
点灯装置１２は、例えばマイクロコンピュータ等によって構成される。点灯装置１２は、例えば図４に示すように、制御部１２１と、記憶部１２２と、光−電気変換部１２３と、電源制御部１２４と、を備える。制御部１２１は、記憶部１２２、光−電気変換部１２３、及び電源制御部１２４と通信可能に接続される。光−電気変換部１２３には、管制器１３から光ケーブル３３を通じて光信号（タイミング信号）が送られてくる。電源制御部１２４には、電線２４ｂを通じて電源１４の電力（例えばＡＣ２００Ｖの交流電力）が供給される。点灯装置１２は、管制器１３の光信号に応じた所定のタイミングで、電源１４の電力を電線２１ｂを通じて閃光灯１１に供給する。
【００１９】
管制器１３は、例えばマイクロコンピュータ等によって構成される。管制器１３は、例えば図５に示すように、制御部１３１と、記憶部１３２と、光−電気変換部１３３と、信号生成部１３４と、を備える。制御部１３１は、記憶部１３２、光−電気変換部１３３、及び信号生成部１３４と通信可能に接続される。光−電気変換部１３３は、光ケーブル３３と接続される。制御部１３１は、閃光灯１１の点灯タイミングを制御するため、点灯装置１２に対して、閃光灯１１を点灯させるタイミングを示す信号（タイミング信号）を送信する。詳しくは、制御部１３１は、信号生成部１３４に、点灯装置１２の特定情報（複数の点灯装置１２のいずれかを特定する情報）を含む電気信号（タイミング信号）を生成させる。信号生成部１３４により生成された電気信号は、制御部１３１によって記憶部１３２に格納される。次に、制御部１３１は、光−電気変換部１３３に、その電気信号を光信号に変換させた後、その変換後の光信号（タイミング信号）を、光ケーブル３３を通じて点灯装置１２の光−電気変換部１２３に送る。
【００２０】
電源１４は、例えば交流電源である。電源１４は、電線２４ａ、２４ｂ、２２を通じて、例えばＡＣ２００Ｖの電圧で点灯装置１２の各々に電力を供給する。
【００２１】
図６に、点灯装置１２の詳細構成を示し、図１に示す閃光灯システムの動作について説明する。
【００２２】
電源制御部１２４は、トランス１２４ａと、整流回路１２４ｂと、蓄電コンデンサ１２４ｃと、放電タイミング制御部１２４ｄと、トランジスタ等のスイッチング素子１２４ｅと、を備える。放電タイミング制御部１２４ｄは、制御部１２１（図４）からの指令に応じて、スイッチング素子１２４ｅをオン又はオフさせる。蓄電コンデンサ１２４ｃは、スイッチング素子１２４ｅの状態（オン又はオフ）に応じて放電又は蓄電する。
【００２３】
電源制御部１２４において、トランス１２４ａには、電源１４から電線２４ｂを通じてＡＣ２００Ｖが供給される。トランス１２４ａにＡＣ２００Ｖが供給されると、整流回路１２４ｂからＤＣ２０００Ｖの直流電力が出力され、蓄電コンデンサ１２４ｃに、放電用の電気エネルギーが蓄えられる。
【００２４】
一方、点灯装置１２の光−電気変換部１２３には、前述したように、管制器１３から送られてきた光信号（タイミング信号）が入力される。この光信号は、制御部１２１により、記憶部１２２に格納される。その光信号に含まれる特定情報（アドレス等）が自己（その点灯装置１２）を特定するものであれば、その後、制御部１２１は、電源制御部１２４の放電タイミング制御部１２４ｄに電気信号（放電指令）を送る。
【００２５】
閃光灯１１には、電線２１ａ、２１ｂを構成するバイアス線２１１ａ、２１１ｂによってバイアスがかけられている。ただしこの状態では閃光灯１１は点灯せず、蓄電コンデンサ１２４ｃから放出された電気エネルギーが閃光灯１１に供給されることで、閃光灯１１は点灯する。蓄電コンデンサ１２４ｃの電気エネルギーは、電線２１ａ、２１ｂを構成する点灯用電線２１２ｂ、２１２ａを通じて閃光灯１１に供給される。
【００２６】
放電タイミング制御部１２４ｄは、制御部１２１から電気信号（放電指令）を受け取ると、スイッチング素子１２４ｅをオンさせる。これにより、蓄電コンデンサ１２４ｃに蓄えられた電気エネルギーが点灯用電線２１２ｂ、２１２ａを通じて閃光灯１１に供給される。この電気エネルギーの供給により、閃光灯１１が点灯する。複数の点灯装置１２のうち、特定情報に対応した点灯装置１２だけが、閃光灯１１を点灯させる。
【００２７】
本実施形態の閃光灯システム及びその配線方法によれば、中継端子台１６を用いることで、部品（閃光灯１１等）を交換し易い。また、ガイシからなる中継端子台１６を用いることで、高電圧に対して高い耐久性が得られる。中継端子台１６として汎用端子台を用いることで、省スペース化、低コスト化が図られる。
【００２８】
以上、本発明の実施形態に係る閃光灯システム及びその配線方法について説明したが、本発明は、上記実施形態に限定されない。例えば以下のように変形して実施することもできる。
【００２９】
中継端子台１６の本体１６ａの材料は、低コストで高い絶縁性や耐熱性を確保する上ではガイシが好ましいが、これに限られない。本体１６ａの材料は、例えばセラミック等であってもよい。
【００３０】
上記実施形態では、複数の点灯装置１２の全てに光−電気変換部１２３を設けるようにしたが、これに限定されない。例えば管制器１３と直接接続される点灯装置１２（例えば端に位置する１つ）だけに光−電気変換部１２３を設けてもよい。
【００３１】
複数の点灯装置１２間を接続する通信ケーブルとして、光ケーブルに代えてメタルワイヤ等を用いてもよい。
【００３２】
上記実施形態では、複数の点灯装置１２を直列に接続したが、これに限定されない。例えばこれら点灯装置１２をループ型に接続してもよい。
【００３３】
閃光灯１１及び閃光灯１１ごとに設けられる点灯装置１２の数は任意である。これらの数は、例えば１つでもよい。
【００３４】
以上、本発明の実施形態について説明したが、設計上の都合やその他の要因によって必要となる様々な修正や組み合わせは、「請求項」に記載されている発明や「発明の実施の形態」に記載されている具体例に対応する発明の範囲に含まれると理解されるべきである。
【産業上の利用可能性】
【００３５】
本発明の閃光灯システム及びその配線方法は、ＥＦＡＳ（航空機着陸誘導閃光装置）に適している。
【符号の説明】
【００３６】
１１  閃光灯
１１ａ  ソケット
１２  点灯装置
１３  管制器
１４  電源
１５  ブレーカ
１６  中継端子台
１６ａ  本体
１６ｂ  端子
２１ａ  電線（第１電線）
２１ｂ  電線（第２電線）
２２、２４ａ、２４ｂ  電線
３２、３３  光ケーブル
１２１  制御部
１２２  記憶部
１２３  光−電気変換部
１２４  電源制御部
１２４ａ  トランス
１２４ｂ  整流回路
１２４ｃ  蓄電コンデンサ
１２４ｄ  放電タイミング制御部
１２４ｅ  スイッチング素子
２１１ａ、２１２ａ  バイアス線（第１電線）
２１１ｂ、２１２ｂ  点灯用電線（第２電線）
【図１】
2010247576.tif 000003
【図２】
2010247576.tif 000004
【図３】
2010247576.tif 000005
【図４】
2010247576.tif 000006
【図５】
2010247576.tif 000007
【図６】
2010247576.tif 000008